(57)【要約】【課題】着信待ち受け中のカメラ付き携帯電話装置を鞄やポケットに入れているときに、誤ってカメラモード開始スイッチが入ると電池を無駄に消耗する。【解決手段】カメラ付き携帯電話装置に周囲の明るさを検出する照度検出手段を設け、着信待ち受け状態でカメラモード開始スイッチ手段によりカメラモード開始信号が入力されたときには、照度検出手段によって周囲の明るさを検出し、検出した明るさが予め定めた明るさより暗いときは、原則としてカメラモードを動作させずに着信待ち受け状態に戻すように制御し、検出した明るさが予め定めた明るさ以上に明るいときは、カメラモードを動作させるようにしている。但し、周囲が暗くても所定のスイッチを所定時間内に順次操作することにより、カメラモードを動作させて撮影できるようにしている。【選択図】  図１
2004201220.tif 000002
【特許請求の範囲】
【請求項１】
撮像手段であるカメラと、前記カメラによる撮影動作を制御するカメラモード制御手段と、カメラモードを開始させるためのカメラモード開始スイッチ手段と、全体の制御を行う全体制御手段とを有するカメラ付き携帯電話装置において、
周囲の明るさを検出する照度検出手段を設け、
着信待ち受け状態で前記カメラモード開始スイッチ手段によりカメラモード開始信号が入力されたときには、前記照度検出手段によって周囲の明るさを検出し、検出した明るさが予め定めた明るさより暗いときは、カメラモードを動作させずに着信待ち受け状態に戻すように制御し、検出した明るさが予め定めた明るさ以上に明るいときは、カメラモードを動作させるように制御することを特徴とするカメラ付き携帯電話装置。
【請求項２】
前記請求項１に記載の構成に加えて、計時手段を更に設け、
着信待ち受け状態で前記カメラモード開始スイッチ手段によりカメラモード開始信号が入力されされたときには、前記照度検出手段によって周囲の明るさを検出するとともに、前記計時手段によって経過時間を計時し、検出した明るさが予め定めた明るさより暗いときであっても、カメラモード開始信号が入力された後の所定時間内に前記カメラモード開始スイッチ手段により再びカメラモード開始信号が入力されたときには、カメラモードの動作を開始させるようにした請求項１に記載のカメラ付き携帯電話装置。
【請求項３】
前記請求項１に記載の構成に加えて、計時手段と、照明手段と、照明スイッチ手段を更に設け、
着信待ち受け状態で前記カメラモード開始スイッチ手段によりカメラモード開始信号が入力されたときには、前記照度検出手段によって周囲の明るさを検出するとともに、前記計時手段によって経過時間を計時し、検出した明るさが予め定めた明るさより暗いときであっても、カメラモード開始信号が入力された後の所定時間内に前記照明スイッチ手段がオフからオンに変化したときには、カメラモードを動作させるようにした請求項１に記載のカメラ付き携帯電話装置。
【請求項４】
前記請求項１に記載の構成に加えて、計時手段と、カメラモード強制スイッチ手段を更に設け、
着信待ち受け状態で前記カメラモード開始スイッチ手段によりカメラモード開始信号が入力されされたときには、前記照度検出手段によって周囲の明るさを検出するとともに、前記計時手段によって経過時間を計時し、検出した明るさが予め定めた明るさより暗いときであっても、カメラモード開始信号が入力した後の所定時間内に前記カメラモード強制スイッチ手段がオフからオンに変化したときには、カメラモードを動作させるようにした請求項１に記載のカメラ付き携帯電話装置。
【請求項５】
前記照度検出手段として、撮像手段である前記カメラを用いた請求項１から請求項４のいずれかに記載のカメラ付き携帯電話装置。
【請求項６】
撮像手段であるカメラと、前記カメラによる撮影動作を制御するカメラモード制御手段と、カメラモードを開始させるための第一のスイッチ手段と第二のスイッチ手段と、全体の制御を行う全体制御手段とを有するカメラ付き携帯電話装置において、
計時手段を設け、
着信待ち受け状態で前記第一のスイッチ手段によりカメラモード開始信号が入力されたときに、前記計時手段によって経過時間を計時し、カメラモード開始信号が入力されてから所定時間内に前記第二のスイッチ手段がオフからオンに変化したときにはカメラモードを動作させ、前記第一のスイッチ手段によりカメラモード開始信号が入力されてから所定時間が経過しても前記第二のスイッチ手段がオンまたはオフのまま変化しないときはカメラモードを動作させずに、着信待ち受け状態に戻すように制御することを特徴とするカメラ付き携帯電話装置。
【請求項７】
カメラモードを開始させるための前記第一のスイッチ手段と前記第二のスイッチ手段とを一つのスイッチ手段で兼用した請求項６に記載のカメラ付き携帯電話装置。
【請求項８】
着信待ち受け状態で前記第一のスイッチ手段によりカメラモード開始信号が入力されたときに、前記計時手段によって経過時間を計時し、カメラモード開始信号が入力されてから所定時間内に前記第二のスイッチ手段がオフからオンに変化したときにはカメラモードを動作させるとともに、カメラモードを動作開始からの経過時間を計時し、カメラモード動作が開始してから所定時間が経過してもシャッターボタンが押されないときは、着信待ち受け状態に戻すように制御することを特徴とする請求項６に記載のカメラ付き携帯電話装置。
【発明の詳細な説明】
【０００１】
【発明の属する技術分野】
本発明は、ディジタルカメラを搭載したカメラ付き携帯電話装置に関する。
【０００２】
【従来の技術】
最近、ディジタルカメラの小型化が進み、携帯電話装置にディジタルカメラを搭載して、携帯電話装置の使用者の顔やその他の画像を撮影するいわゆるカメラ付き携帯電話装置が実用化されている。
【０００３】
従来の携帯電話装置には、一つの筐体に受話部であるレシーバーと送話部であるマイクと、電話番号等をキー入力するキー操作部と液晶表示部を設けた、いわゆるストレートタイプの携帯電話装置がある。これらストレートタイプの携帯電話装置では、鞄やポケットに携帯電話装置を入れたときに、誤ってキー操作部を押してしまう可能性があるので、特定のキーを押してキー入力を受け付けないいわゆるキーロック状態にして、特定の暗証番号が入力されたときにキーロック状態を元にもどす簡易キーロック機能を利用できるようにしていた。しかし、簡易キーロック機能を設定し忘れたり、意識的に設定していない状態で、誤ってカメラモードを動作させてしまうと、カメラに電源が入り、カラー液晶表示装置に動画のモニター画像を表示することになり、知らない間に電池を消耗してしまうこととなった。カラーの動画像表示は急速に電池を消耗するので、電池が残り少ないときは比較的短い間に通話すらできなくなるというトラブルを生じる可能性も出てきた。
【０００４】
なお従来の折り畳み式携帯電話装置では、折り畳むことによりキー操作部が筐体の内側に隠れるので、鞄やポケットにいれても安心といわれていたのであるが、例えば図１２に示すように、折り畳んだまま撮影することができるという機能を搭載したものが実用化されている。
【０００５】
図１２の折り畳み式携帯電話装置２０の構造を簡単に説明する。折り畳み式携帯電話装置２０は、ヒンジ部２１のある第一の筐体２２に、第二の筐体２３を開閉自在に支承している。第一の筐体２２と第二の筐体２３の内側には、図示していない受話部であるレシーバーと送話部であるマイクと電話番号等をキー入力するキー操作部と液晶表示部を設けて、通話時は第二の筐体２３を開いて使用する。第二の筐体２３の外側の表面には、ディジタルカメラ２４を搭載し、カラー液晶表示装置からなるモニター表示手段２５をカメラ２４と同じ面に設けている。第一の筐体２２の側面には、着信待ち受け状態にある折り畳み式携帯電話装置２０にカメラモードの動作を開始させるカメラモード開始スイッチ２６を設け、カメラモード開始スイッチ２６を例えば２秒という所定時間以上長押しすることにより、カメラモードの動作を開始するようにしている。
【０００６】
ここでいうカメラモードとは、撮像手段であるカメラ２４に電源を投入し、カメラ２４の図示しない撮像手段で取り込んだ画像信号を図示しない筐体内部の画像処理手段に送り、モニター表示手段２５に例えばモニター画像２７を表示し、シャッターボタンが押されたときには、撮影した画像を同じく図示しないメモリーに記憶し、記憶した画像をモニター表示手段２５に表示するという動作モードである。
【０００７】
なお、シャッターボタンは、前記のカメラモード開始スイッチ２６をカメラモードが動作しているときに再び押すことでシャッターボタンとして機能するようにしている。カメラ２４の横には照明手段２８を設け、第一の筐体２２の側面に照明スイッチ２９を設けて、周囲が暗いときには照明スイッチ２９を押すことにより、照明手段２８を撮影時に点灯させて、フラッシュ撮影することができるようにしている。
【０００８】
上記のカメラ付きの折り畳み式携帯電話装置２０では、シャッターボタンを兼ねるカメラモード開始スイッチ２６が、折り畳んだ状態で外部に向けて露出している。そのため、折り畳んだ状態で鞄やポケットに入れたときに、カメラモード開始スイッチ２６が誤って長押しされ、カメラモードが動作してしまう可能性がある。また、カメラモードの動作中にカメラモード開始スイッチ２６が一度オフになり、再び押されるとシャッターボタンが押されたことになるので、撮影動作を実行してしまうことになる。カメラモードで動作したまま長時間が経過すれば電池は消耗する。その上、撮影動作までしてしまうとメモリーに無駄な画像を記憶してしまう。
【０００９】
着信待ち受け状態で誤ってカメラモード開始スイッチを押してカメラモードを動作させてしまう問題を防止するために、撮像手段であるカメラを筐体内に格納できるようにして、カメラを筐体内に格納した格納状態と、カメラを筐体から出した撮影可能状態を検出して、格納状態ではカメラモードを動作させないようにすることが提案されているが（例えば、特許文献１）、筐体の表面にカメラを固定してカメラを筐体内に収納しない、ストレートタイプのカメラ付き携帯電話装置や図１２のようなカメラ付き折り畳み式携帯電話装置の解決策にはなっていない。
【００１０】
【特許文献１】
特開２００１−１９７４５７号公報（第１−４頁、第２図）
【００１１】
【発明が解決しようとする課題】
本発明は、カメラ付き携帯電話装置において、着信待ち受け状態、つまり着信を待ち受けている着信待ち受け時に、カメラモード開始スイッチがオンになり、カメラモード開始信号が入力されたとしても、所定の条件下であれば、カメラモードを動作させずに、着信待ち受け状態に戻すことにより、鞄やポケットに入れたときに誤ってカメラモードを動作させてしまうことがないカメラ付き携帯電話装置を提供することを第一の目的としている。
【００１２】
特に、所定の条件下においてカメラモードを動作させずに着信待ち受け状態に戻すようにしたことが、鞄やポケットから取り出して撮影するときの通常の使い方における使い勝手を低下させないようにしたカメラ付き携帯電話装置を提供することを第二の目的としている。
【００１３】
【課題を解決するための手段】
本発明は前記第一の課題を解決するために、撮像手段であるカメラと、カメラによる撮影動作を制御するカメラモード制御手段と、カメラモードを開始させるためのカメラモード開始スイッチ手段と、全体の制御を行う全体制御手段とを有するカメラ付き携帯電話装置において、周囲の明るさを検出する照度検出手段を設け、着信待ち受け状態でカメラモード開始スイッチ手段によりカメラモード開始信号が入力されたときには、照度検出手段によって周囲の明るさを検出し、検出した明るさが予め定めた明るさより暗いときは、カメラモードを動作させずに着信待ち受け状態に戻すように制御し、検出した明るさが予め定めた明るさ以上に明るいときは、カメラモードを動作させるようにしている。
【００１４】
このことにより、携帯電話装置が鞄やポケットの中に入ったときに、誤ってカメラモード開始スイッチを押したとしても、カメラモードを動作させてしまうことが防止される。
【００１５】
本発明は前記第二の課題を解決するために、撮像手段であるカメラと、カメラによる撮影動作を制御するカメラモード制御手段と、カメラモードを開始させるための第一のスイッチ手段と第二のスイッチ手段と、全体の制御を行う全体制御手段とを有するカメラ付き携帯電話装置において、計時手段を設け、着信待ち受け状態で第一のスイッチ手段によりカメラモード開始信号が入力されたときに、カメラモード開始信号が入力されてから所定時間内に第二のスイッチ手段がオフからオンに変化したときにはカメラモードを動作させ、前記第一のスイッチ手段によりカメラモード開始信号が入力されてから所定時間が経過しても第二のスイッチ手段がオンまたはオフのまま変化しないときにはカメラモードを動作させずに、着信待ち受け状態に戻すようにしている。
【００１６】
第一のスイッチ手段と第二のスイッチ手段を所定時間内に押すことは、例えば第一のスイッチとしてカメラモード開始スイッチを押し、第二のスイッチとして照明スイッチを押すというように、鞄やポケットから取り出して撮影するときの通常の使い方として自然な使い方であるため、カメラ付き携帯電話装置としての使い勝手は低下しない。また、第一のスイッチ手段と第二のスイッチ手段を一つのスイッチにして、例えばカメラモード開始スイッチをダブルクリックするようにしたとしても、パーソナルコンピュータが普及した今日では、ダブルクリックは長押しと同様に自然な操作作業であり、カメラ付き携帯電話装置としての使い勝手を低下させることはない。
【００１７】
【発明の実施の形態】
本発明は第一の構成として、撮像手段であるカメラと、カメラによる撮影動作を制御するカメラモード制御手段と、カメラモードを開始させるためのカメラモード開始スイッチ手段と、全体の制御を行う全体制御手段とを有するカメラ付き携帯電話装置において、周囲の明るさを検出する照度検出手段を設け、着信待ち受け状態でカメラモード開始スイッチ手段によりカメラモード開始信号が入力されたときには、照度検出手段によって周囲の明るさを検出し、検出した明るさが予め定めた明るさより暗いときは、カメラモードを動作させずに着信待ち受け状態に戻すように制御し、検出した明るさが予め定めた明るさ以上に明るいときは、カメラモードを動作させるよう制御する構成を採る。
【００１８】
この構成により、カメラ付き携帯電話装置を鞄やポケットに入れた状態で、誤ってカメラモード開始スイッチ手段を押してカメラモード開始信号を入力したとしても、カメラモードを動作させずに、着信待ち受け状態に戻すことができる。
【００１９】
本発明は、上記構成に加えて、計時手段を更に設け、着信待ち受け状態でカメラモード開始スイッチ手段によりカメラモード開始信号が入力されされたときには、照度検出手段によって周囲の明るさを検出するとともに、計時手段によって経過時間を計時する。そして、検出した明るさが予め定めた明るさより暗いときは原則としてカメラモードを動作させずに着信待ち受け状態に戻すように制御するが、検出した明るさが予め定めた明るさより暗いときであっても、カメラモード開始信号が入力された後の所定時間内にカメラモード開始スイッチ手段により再びカメラモード開始信号が入力されたときには、カメラモードの動作を開始させる構成を採る。
【００２０】
この構成により、カメラ付き携帯電話装置を鞄やポケットに入れた状態で、誤ってカメラモード開始スイッチ手段を押してカメラモード開始信号を入力したとしても、カメラモードを動作させずに、着信待ち受け状態に戻すことができるだけでなく、周囲が暗い環境であっても、カメラモード開始スイッチ手段を所定時間内に再び押すことによりカメラモードの動作を開始することができるので、カメラ撮影の通常の使い勝手を保つことができる。
【００２１】
本発明は、前記第一の構成に加えて、計時手段と、照明手段と、照明スイッチ手段を更に設け、着信待ち受け状態でカメラモード開始スイッチ手段によりカメラモード開始信号が入力されたときには、照度検出手段によって周囲の明るさを検出するとともに、計時手段によって経過時間を計時し、検出した明るさが予め定めた明るさより暗いときは、原則としてカメラモードを動作させずに着信待ち受け状態に戻すように制御するが、検出した明るさが予め定めた明るさより暗いときであっても、カメラモード開始信号が入力された後の所定時間内に照明スイッチ手段がオフからオンに変化したときには、カメラモードを動作させる構成を採る。
【００２２】
この構成により、カメラ付き携帯電話装置を鞄やポケットに入れた状態で、誤ってカメラモードが動作するのを防ぐことができるだけでなく、周囲が暗い環境では、カメラモード開始スイッチ手段と照明スイッチを順次押すというカメラ撮影の通常の使い方をしてカメラモードの動作を開始することができる。
【００２３】
本発明は、前記第一の構成に加えて、計時手段と、カメラモード強制スイッチ手段を更に設け、着信待ち受け状態でカメラモード開始スイッチ手段によりカメラモード開始信号が入力されされたときには、照度検出手段によって周囲の明るさを検出するとともに、計時手段によって経過時間を計時し、検出した明るさが予め定めた明るさより暗いときは、原則としてカメラモードを動作させずに着信待ち受け状態に戻すように制御するが、検出した明るさが予め定めた明るさより暗いときであっても、カメラモード開始信号が入力した後の所定時間内にカメラモード強制スイッチ手段がオフからオンに変化したときには、カメラモードを動作させる構成を採る。
【００２４】
この構成により、カメラ付き携帯電話装置を鞄やポケットに入れた状態で、誤ってカメラモードが動作するのを防ぐことができるだけでなく、照明手段と照明スイッチを搭載していないカメラ付き携帯電話装置でも、周囲が暗くても、カメラモード開始スイッチ手段とカメラモード強制スイッチ手段を順次押すことによりカメラモードの動作を開始することができる。
【００２５】
そして本発明は、上記各構成の照度検出手段として、撮像手段であるカメラを用いた構成を採る。
【００２６】
この構成により、元々、カメラ付き携帯電話装置に搭載しているカメラが撮影と周囲の明るさを検出する照度検出の両方の機能を果たすので、カメラの外に別途、照度検出手段を設けなくて済み、カメラ付き携帯電話装置の小型軽量化が可能になる。
【００２７】
本発明は、撮像手段であるカメラと、カメラによる撮影動作を制御するカメラモード制御手段と、カメラモードを開始させるための第一のスイッチ手段と第二のスイッチ手段と、全体の制御を行う全体制御手段とを有するカメラ付き携帯電話装置において、計時手段を設け、着信待ち受け状態で第一のスイッチ手段によりカメラモード開始信号が入力されたときに、計時手段によって経過時間を計時し、カメラモード開始信号が入力されてから所定時間内に第二のスイッチ手段がオフからオンに変化したときにはカメラモードを動作させ、第一のスイッチ手段によりカメラモード開始信号が入力されてから所定時間が経過しても第二のスイッチ手段がオンまたはオフのまま変化しないときには、カメラモードを動作させずに着信待ち受け状態に戻すように制御する構成を採る。
【００２８】
この構成により、前記第一の構成のように周囲の明るさを検出しなくても、カメラ付き携帯電話装置を鞄やポケットに入れたときに誤ってカメラモード開始スイッチを押したとしても、カメラモードの動作を開始しないで、着信待ち受け状態に戻すことができる。
【００２９】
更に本発明は、前記のカメラモードを開始させるための第一のスイッチ手段と第二のスイッチ手段とを一つのスイッチ手段で兼用した構成を採る。
【００３０】
この構成により、スイッチを増やすことなく、また使い勝手を低下させることなく、カメラ付き携帯電話装置を鞄やポケットに入れたときに誤ってカメラモードを動作させるのを防ぐことができる。
【００３１】
更に本発明は、着信待ち受け状態で第一のスイッチ手段によりカメラモード開始信号が入力されたときに、計時手段によって経過時間を計時し、カメラモード開始信号が入力されてから所定時間内に前記第二のスイッチ手段がオフからオンに変化したときにはカメラモードを動作させるとともに、カメラモードの動作開始からの経過時間を計時し、カメラモードの動作が開始してから所定時間が経過してもシャッターボタンが押されないときは、着信待ち受け状態に戻すように制御する構成を採る。
【００３２】
この構成により、カメラ付き携帯電話装置を鞄やポケットに入れて着信待ち受け状態にしているときに、誤ってカメラモード開始スイッチが押され、カメラモードの動作が始まったとしても、カメラモードの動作の開始後、所定時間内にシャッターボタンが押されなければ、着信待ち受け状態に戻るので、カメラモードの動作時間を所定時間以内に納めることができるので、電池の消耗を少なくとどめることができる。
【００３３】
以下、図面とともに本発明の実施の形態を説明する。
【００３４】
（実施の形態１）
図１に本発明の第１の形態に係るカメラ付き携帯電話装置の概略ブロック図を示す。図１において、カメラ付き携帯電話装置１００は、カメラ１をカメラモード制御手段２に接続しており、カメラモード制御手段２にはモニター画像を表示する表示手段９も接続している。カメラモード制御手段２は、カメラへの電源投入から、画像信号処理、表示手段９へのモニター画像表示等の制御を直接的に行うようにしている。携帯電話装置全体の制御を行う全体制御手段３は前記カメラモード制御手段２の他に、カメラ動作を開始させるためのカメラモード開始スイッチ４、受話部としてのレシーバー５，送話部としてのマイク６，無線通信手段である無線部７、電話番号を入力するテンキーやカメラ撮影用のシャッターボタンなどのキー操作部８、カメラで撮影した画像や電話帳情報などを記憶するメモリー１０と照度検出手段１１を接続している。また、全体制御手段３は、カメラモードが動作していないときに、待ち受け画面その他の表示をするために表示手段９に直接的に接続して、表示動作を制御できるようにしている。外観図は特に示さないが、従来例で示した図１２の第二の筐体２３のカメラの横に照度検出手段１１を並べて設けた外観をしている。
【００３５】
全体制御手段３は、携帯電話装置としての無線通信とカメラ１による画像撮影を含めた全体的な制御を行う。すなわち、最初にキー操作部８の図示していない電源ボタンを押すと、全体制御手段３と無線部７に電源が投入される。無線部７は全体制御手段３の制御のもと、図示していない基地局と間欠送受信を開始し、表示手段９に電界強度や電池残量などの待ち受け画面を表示して、他の携帯電話装置から着信が来るのを待ついわゆる着信待ち受け状態になる。他の携帯電話装置から着信があると、図示しない鳴音手段を鳴動して着信を知らせ、キー操作部８の図示しない通話ボタンが押されると、レシーバー５とマイク６で通話を行うようにしている。
【００３６】
また、着信待ち受け状態において、カメラモード開始スイッチ４を例えば２秒ほど長押しすると、全体制御手段３は、カメラモード制御手段２にカメラモードの動作を開始させる。カメラモード制御手段２は、カメラ１に図示しない充電電池等の電源手段から電源を投入し、カメラ１内の図示しない撮像手段からの画像信号を処理して、表示手段９にモニター画像を表示する。モニター画像を表示しているときに、キー操作部８の図示しないシャッターボタンが押されると、カメラ１で撮影した画像をメモリー１０に記憶し、記憶した画像を表示手段９に表示する。
【００３７】
そして、本発明のカメラ付き携帯電話装置１００は、着信待ち受け状態でカメラモード開始信号が入力されても、周囲の明るさが暗いなどという所定の条件下では、カメラモードを動作させずに、着信待ち受け状態に戻すようにしている。
【００３８】
図２に、本発明の第１の形態に係るカメラ付き携帯電話装置１００の動作のフローチャートを示す。キー操作部８の電源ボタンが押されると（ステップ１）、前述した着信待ち受け状態になる（ステップ２）。着信待ち受け状態において、カメラモード開始スイッチ４が押され、カメラモード開始信号が入力されると（ステップ３）、全体制御手段３は照度検出手段１１により周囲の明るさを検出する（ステップ４）。周囲の明るさが予め定めた明るさ以上か否かを判断し（ステップ５）、所定の明るさ以上であれば、カメラモードの動作を開始する（ステップ６）。カメラモードではカメラ１に電源が投入され、カメラ１からの画像信号がカメラモード制御手段２によって処理され、表示手段９にモニター画像が表示される。このときに、キー操作部８のシャッターボタンが押されると（ステップ７）、カメラ１で撮影した画像をメモリー１０に記憶する（ステップ８）。撮影を継続するときはステップ７からステップ８を繰り返す。撮影を終了するためにキー操作部８からカメラモード終了信号が入力されると（ステップ９）、ステップ２の着信待ち受け状態に戻る。もし、ステップ４で検出した周囲の明るさが所定の明るさ以上でなかったときは（ステップ５）、表示手段９に暗くて撮影できない旨の表示をした後（ステップ１０）、着信待ち受け状態に戻る（ステップ２）。このように、着信待ち受け状態においてカメラモード開始スイッチ４が押され、カメラモード開始信号が入力されても、周囲の明るさが所定の明るさ以上でなかったときは、カメラモードの動作をしないようにしている。
【００３９】
カメラ付き携帯電話装置を鞄やポケットに入れたときは、カメラ付き携帯電話装置の周囲は暗いので、着信待ち受け状態で誤ってカメラモード開始スイッチが押され、カメラモード開始信号が入力されたとしてもカメラモードの動作を開始しない。そのため、誤操作によってカメラに電源は入らず、モニター画像も表示しないので、電池を無駄に消耗することが防止される。
【００４０】
また、上記のように鞄やポケットに入れているときの誤操作でなく、撮影ができない暗い場所で意識的にカメラモード開始スイッチを押したとしても、カメラモードの動作を開始せずに、暗くて撮影できない旨の表示をして着信待ち受け状態に戻るので、カメラに電源は入らず、モニター画像も表示されないので、それだけ電池の消耗を節約することができる。
【００４１】
（実施の形態２）
図３に、本発明の第２の形態に係るカメラ付き携帯電話装置２００の概略ブロック図を示す。なお、前記第１の形態のカメラ付き携帯電話装置１００との差異は、計時手段１２を追加して設けた点である。その他は図１で述べた構成と同じであるので、同一のブロックには同一の番号を付して説明を省略する。
【００４２】
本発明の第２の形態に係るカメラ付き携帯電話装置２００によれば、着信待ち受け状態でカメラモード開始スイッチ４が押されて、周囲の明るさを検出したときに、周囲の明るさが所定の明るさ以上でなかったときは、原則としてカメラモードを動作させずに着信待ち受け状態に戻すように制御するが、検出した明るさが予め定めた明るさより暗いときでも、所定時間内にカメラモード開始スイッチ４が、オフからオンに変化すればカメラモードを動作させることができる。
【００４３】
図４に本発明の第２の形態に係るカメラ付き携帯電話装置２００の動作のフローチャートを示す。第１の形態と同じく、電源をオンすると（ステップ１）、着信待ち受け状態になる（ステップ２）。着信待ち受け状態で、カメラモード開始スイッチ４が押されてカメラモード開始信号が入力されると、照度検出手段１１で周囲の明るさを検出すると共に、計時手段１２により経過時間の計時を開始する（ステップ１１）。周囲の明るさが所定の明るさ以上か否かを判断し（ステップ５）、所定の明るさ以上でないときには、計時手段１２が計時する所定時間内にカメラモード開始スイッチ４から再びカメラモード開始信号が入力されるかどうかを監視する（ステップ１２）。もし、所定時間内にカメラモード開始スイッチよりカメラモード開始信号が入力されれば、周囲が暗い状態でカメラモード開始信号の入力が意識的に行われたとしてカメラモードの動作を開始する（ステップ６）。もし、所定時間が経過してもカメラモード開始スイッチよりカメラモード開始信号が入力されなければ、カメラモード開始スイッチが押されたのは誤操作であるとして、着信待ち受け状態に戻るようにしている（ステップ２）。
【００４４】
本発明の第２の形態に係るカメラ付き携帯電話装置は、上記のように構成しているため、周囲の明るさが暗いときには、カメラモード開始スイッチを例えば１秒とか２秒という所定時間内にダブルクリックすることにより、カメラモードを動作させることができる。本発明の第２の形態に係るカメラ付き携帯電話装置２００を鞄やポケットに入れて手で触らない状態では、誤操作で１秒とか２秒という所定時間内にカメラモード開始スイッチがダブルクリックと同じ押され方をされることはないので、着信待ち受け状態で、カメラモード開始スイッチが一度押されてカメラモード開始信号が入力されたとしても、それだけでカメラモードの動作が始まることはない。カメラに電源は入らず、モニター画像も表示されないので、誤操作により電池を消耗するのを防ぐことができる。所定時間内にカメラモード開始スイッチ４からカメラモード開始信号が入力される回数について、カメラモードの動作を開始するか否かを判断する回数として、例えば２回とか、３回とか、それ以上に設定しておけば、誤操作をより厳重に防ぐことができる。
【００４５】
（実施の形態３）
図５に、本発明の第３の形態に係るカメラ付き携帯電話装置３００の概略ブロック図を示す。本発明の第３の形態に係るカメラ付き携帯電話装置３００では、計時手段１２に加え、照明手段１３と照明スイッチ１４を全体制御手段３に接続して、照明スイッチ１４をオンにするとことにより、照明手段１３を撮影時に点灯してフラッシュ撮影できるように構成している。本発明の第３の形態に係るカメラ付き携帯電話装置３００によれば、着信待ち受け状態でカメラモード開始スイッチ４が押されて、周囲の明るさを検出したときに、周囲の明るさが所定の明るさ以上でなかったときは、原則としてカメラモードを動作させずに着信待ち受け状態に戻すように制御するが、検出した明るさが予め定めた明るさより暗いときでも、所定時間内に照明スイッチ１４が押されれば、カメラモードの動作を始める。
【００４６】
図６に本発明の第３の形態に係るカメラ付き携帯電話装置３００の動作のフローチャートを示す。前述の第２の形態と同じく、電源をオンすると（ステップ１）、着信待ち受け状態になる（ステップ２）。着信待ち受け状態で、カメラモード開始スイッチ４が押されてカメラモード開始信号が入力されると、照度検出手段１１で周囲の明るさを検出すると共に、計時手段１２により経過時間の計時を開始する（ステップ１１）。周囲の明るさが所定の明るさ以上か否かを判断し（ステップ５）、所定の明るさ以上でないときには、所定時間内に照明スイッチ１４がオフからオンに変化するかどうかを監視する（ステップ１３）。もし、所定時間内に照明スイッチ１４がオフからオンに変化すれば、周囲が暗い状態でのカメラモード開始信号の入力が意識的に行われたとしてカメラモードの動作を開始する（ステップ６）。そして、キー操作部８のシャッターボタンが押されると、照明手段１３が点灯して撮影が行なわれる（ステップ１４）。もし所定時間が経過しても、照明スイッチ１４がオンのまま、またはオフのまま変化しなければ（ステップ１３）、着信待ち受け状態に戻る（ステップ２）。
【００４７】
本発明の第３の形態に係るカメラ付き携帯電話装置３００は、上記のように構成しているため、周囲の明るさが暗いときには、カメラモード開始スイッチ４を押して、その後所定時間内に照明スイッチ１４を押すという、通常の撮影操作とほとんど同じ操作をすることによってカメラモードを動作させることができる。なお、鞄やポケットにカメラ付き携帯電話装置を入れたときには、周囲の明るさは暗く、カメラモード開始スイッチ４が押された後、所定時間内に照明スイッチ１４がオフからオンになることはないので、カメラモードの動作は始まらない。
【００４８】
（実施の形態４）
図７に、本発明の第４の形態に係るカメラ付き携帯電話装置４００の概略ブロック図を示す。本発明の第４の形態に係るカメラ付き携帯電話装置４００では、第３の形態のカメラ付き携帯電話装置３００の照明手段１３と照明スイッチ１４の代わりにカメラモード強制スイッチ１５を全体制御手段３に接続している。外観図は特に示さないが、従来例で示した図１２の第二の筐体２３のカメラの横に照度検出手段１１を並べ、第一の筐体２２の側面のカメラモード開始スイッチ２６の隣にカメラモード強制スイッチ１５を設けた外観をしている。
【００４９】
本発明の第４の形態に係るカメラ付き携帯電話装置４００によれば、着信待ち受け状態でカメラモード開始スイッチ４が押されて、周囲の明るさを検出したときに、周囲の明るさが所定の明るさ以上でなかったときは、原則としてカメラモードを動作させずに着信待ち受け状態に戻すように制御するが、検出した明るさが予め定めた明るさより暗いときでも、所定時間内にカメラモード強制スイッチ１５が押されれば、カメラモードを動作させる。動作の詳細については、上述した第３の形態の図６のフローチャートの照明スイッチ１４をカメラモード強制スイッチ１５に置き換えたものと同じなので説明を省略する。
【００５０】
本発明の第４の形態に係るカメラ付き携帯電話装置４００では、照明手段１３と照明スイッチ１４が搭載されていないカメラ付き携帯電話装置であったとしても、カメラモード強制スイッチ１５を押してカメラモードを動作させることができる。
【００５１】
（実施の形態５）
図８に、本発明の第５の形態に係るカメラ付き携帯電話装置５００の概略ブロック図を示す。本発明の第５の形態に係るカメラ付き携帯電話装置５００では、既に図３で説明した第２の形態のカメラ付き携帯電話装置２００の概略ブロック図から照度検出手段１１を削除し、その代わりにカメラ１を全体制御手段３に直接接続してカメラ１を照度検出手段として使用することができるようにしている。いわゆるＣＣＤカメラを照度測定に用いることは既に知られているとおりであり、カメラ１にＣＣＤカメラを用い、着信待ち受け状態でカメラモード開始スイッチ４が押されたときに、カメラ１で周囲の明るさを検出する。
【００５２】
この構成によれば、カメラ１の他に照度検出手段を別途搭載しなくて済むので、小型軽量化ができるという効果がある。
【００５３】
（実施の形態６）
図９に、本発明の第６の形態に係るカメラ付き携帯電話装置６００の概略ブロック図を示す。本発明の第６の形態に係るカメラ付き携帯電話装置６００は、既に図３で説明した第２の形態のカメラ付き携帯電話装置２００の概略ブロック図から照度検出手段１１を削除した構成である。カメラ１は撮影だけに用いて、照度検出手段には使用しない。そのためカメラ１は全体制御手段３に直接接続していない。
【００５４】
本発明の第６の形態に係るカメラ付き携帯電話装置６００において、着信待ち受け状態でカメラモード開始スイッチ４が押されると、計時手段１２で経過時間を計時し、所定時間内にカメラモード開始スイッチ４がオフからオンに変化すれば、カメラモードを動作させるが、所定時間が経過してもカメラモード開始スイッチ４がオフのまま、またはオンのまま変化しなければ、着信待ち受け状態に戻すという制御をすることにより、周囲の明るさを検出しなくても、計時手段１２と所定のスイッチによって、鞄やポケットに入れたときに誤ってカメラモードが動作することを防いでいる。
【００５５】
図１０は、本発明の第６の形態に係るカメラ付き携帯電話装置６００の動作のフローチャートである。キー操作部８の電源ボタンが押されると（ステップ１）、前述した着信待ち受け状態になる（ステップ２）。着信待ち受け状態において、カメラモード開始スイッチ４が押され、カメラモード開始信号が入力されると（ステップ３）、全体制御手段３は計時手段１２により、カメラモード開始信号が入力されてからの経過時間の計時を始める（ステップ１５）。所定時間内に予め定めた所定のスイッチ、ここではカメラモード開始スイッチ４がオフからオンに変化したときには（ステップ１６）、カメラモードの動作を開始する（ステップ６）。もしステップ１６で、所定時間が経過しても、予め定めた所定のスイッチ、ここではカメラモード開始スイッチ４がオフのまま、またはオンのまま変化しないときは、カメラモードの動作を開始しないで着信待ち受け状態に戻る（ステップ２）。
【００５６】
本発明の第６の形態に係るカメラ付き携帯電話装置６００では、カメラモード開始スイッチ４が押されてカメラモード開始信号が入力された後、カメラモード開始スイッチ４、照明スイッチ１４やカメラモード強制スイッチ１５等のスイッチの内の予め定めた所定のスイッチが所定時間内にオフからオンに変化したときには、カメラモードを動作させるようにしているので、通常の使用状態での使い勝手を低下することなく操作することができる。鞄とかポケットにカメラ付き携帯電話装置を入れたときには、着信待ち受け状態中に誤ってカメラモード開始スイッチが押された後に、所定時間内に所定のスイッチがオフからオンに変化することは無いので、誤操作によってカメラモードが動作し、カメラに電源が入り、表示手段にモニター画像を表示して、電池を消耗してしまうのを防ぐことができる。
【００５７】
（実施の形態７）
図１１に、本発明の第７の形態に係るカメラ付き携帯電話装置７００の動作のフローチャートを示す。本発明の第７の形態に係るカメラ付き携帯電話装置７００では、既に述べた第６の形態に係るカメラ付き携帯電話装置６００の計時手段１２を用いて、カメラモードを動作した後の経過時間を計時し、所定時間内にシャッターボタンが押されなかったときには、着信待ち受け状態に戻す動作を追加している。
【００５８】
すなわち、図１１において、キー操作部８の電源ボタンが押されると（ステップ１）、着信待ち受け状態になる（ステップ２）。着信待ち受け状態において、カメラモード開始スイッチ４が押され、カメラモード開始信号が入力されると（ステップ３）、全体制御手段３は計時手段１２により、カメラモード開始信号が入力されてからの経過時間の計時を始める（ステップ１５）。所定時間内に予め定めた所定のスイッチ、ここではカメラモード開始スイッチ４がオフからオンに変化したときには（ステップ１６）、カメラモードの動作を開始するとともに、計時手段１２で新たにカメラモードの動作を開始してからの経過時間を計時する（ステップ１７）。新たな計時を開始した後、例えば６０秒という所定時間内にシャッターボタンが押されるとカメラ１で撮影した画像をメモリー１０に記憶する（ステップ８）。撮影を継続するのであれば（ステップ９）ステップ１７に戻り、撮影を終了するのであればステップ２に戻る。もしステップ１７でカメラモードの動作を開始した後、例えば６０秒という所定時間が経過してもシャッターボタンが押されないときは、着信待ち受け状態に戻る（ステップ２）。
【００５９】
本発明の第７の形態に係るカメラ付き携帯電話装置７００では、カメラモードの動作を開始した後、所定時間が経過してもシャッターボタンが押されないときは着信待ち受け状態に戻るので、カメラ付き携帯電話装置７００を鞄やポケットに入れて着信待ち受け状態にしているときに、誤ってカメラモード開始スイッチ４が押され、カメラモード開始信号が入力され、更に所定時間内に所定のスイッチが押されてカメラモードの動作が始まっても、その後、所定時間内にシャッターボタンが押されなければ、カメラモードの動作を停止して着信待ち受け状態に戻るので、それだけ電池の消耗を少なくすることができる。
【００６０】
なお、上記本発明の実施の形態では、全体制御手段３とカメラモード制御手段２を別の制御部として説明したが、全体制御手段３を携帯電話装置の全体を制御するプログラム、カメラモード制御手段２をカメラの撮影に関する動作を制御するプログラムとして、同じ制御装置で制御動作をさせるようにしても良い。
【００６１】
【発明の効果】
以上説明したように、本発明によれば、カメラ付き携帯電話装置において、着信待ち受け時にカメラモード開始スイッチがオンになり、カメラモード開始信号が入力されたとしても、所定の条件下では、それだけではカメラモードを動作させずに着信待ち受け状態に戻すことができる。カメラ付き携帯電話装置を鞄やポケットに入れたときに誤ってカメラモード開始スイッチを押してカメラモード開始信号を入力したとしても、知らない間にカメラモードの動作が始まって電池を消耗してしまうことのないカメラ付き携帯電話装置を提供することができる。
【００６２】
特に、カメラ付き携帯電話装置の周囲が明るいところで使用するときには、通常の操作により、カメラモードの動作をさせることができ、仮に周囲の明るさが所定の明るさ以上でないときは、原則としてカメラモードを動作させずに着信待ち受け状態に戻すように制御するが、検出した明るさが予め定めた明るさより暗いときでも、カメラモード開始スイッチを押してカメラモード開始信号を入力した後の所定時間内に所定のスイッチをオフからオンに変化させるという通常の操作を行なうことによって、カメラモードの動作を開始して、撮影を行うことができるという効果がある。
【図面の簡単な説明】
【図１】本発明の第１の形態のカメラ付き携帯電話装置の概略ブロック図
【図２】本発明の第１の形態のカメラ付き携帯電話装置の動作のフローチャート
【図３】本発明の第２の形態のカメラ付き携帯電話装置の概略ブロック図
【図４】本発明の第２の形態のカメラ付き携帯電話装置の動作のフローチャート
【図５】本発明の第３の形態のカメラ付き携帯電話装置の概略ブロック図
【図６】本発明の第３の形態のカメラ付き携帯電話装置の動作のフローチャート
【図７】本発明の第４の形態のカメラ付き携帯電話装置の概略ブロック図
【図８】本発明の第５の形態のカメラ付き携帯電話装置の概略ブロック図
【図９】本発明の第６の形態のカメラ付き携帯電話装置の概略ブロック図
【図１０】本発明の第６の形態のカメラ付き携帯電話装置の動作のフローチャート
【図１１】本発明の第７の形態のカメラ付き携帯電話装置の動作のフローチャート
【図１２】従来のカメラ付き携帯電話装置の外観図
【符号の説明】
１  カメラ
２  カメラモード制御手段
３  全体制御手段
４  カメラモード開始スイッチ
５  レシーバー
６  マイク
７  無線部
８  キー操作部
９  表示手段
１０  メモリー
１１  照度検出手段
１２  計時手段
１３  照明手段
１４  照明スイッチ
１５  カメラモード強制スイッチ
２１  ヒンジ
２２  第一の筐体
２３  第二の筐体
２４  カメラ
２５  モニター表示手段
２８  照明手段
２９  照明スイッチ
【図１】
2004201220.tif 000003
【図２】
2004201220.tif 000004
【図３】
2004201220.tif 000005
【図４】
2004201220.tif 000006
【図５】
2004201220.tif 000007
【図６】
2004201220.tif 000008
【図７】
2004201220.tif 000009
【図８】
2004201220.tif 000010
【図９】
2004201220.tif 000011
【図１０】
2004201220.tif 000012
【図１１】
2004201220.tif 000013
【図１２】
2004201220.tif 000014